(57)【要約】【課題】従来は、ディテール加算調整は撮影者が撮影状態に応じて撮像装置のメニュー設定などにより任意に行っているが、これを自動調整にすることにより、いろいろな撮影シーンの状態に応じて適切なディテール加算を行い、より自然で高画質な撮影映像を得ることが出来る撮像装置を提供する。【解決手段】光学像を結像させる光学系１と、光学系１により得られた光学像の光電変換を行い映像信号を生成する撮像素子２と、撮像素子２により得られた映像信号にディテール加算を行い映像信号の輪郭を補正するディテール加算回路６と、光学系１の被写体距離設定情報と焦点距離設定情報とを元に、その被写体距離と焦点距離に応じてディテール加算回路６でのディテールのブースト周波数と加算量を可変させるよう制御する制御回路８とで構成される。【選択図】図１
2007180689.tif 000002
【特許請求の範囲】
【請求項１】
光学像を結像させる光学系と、
前記光学系により得られた光学像の光電変換を行い、映像信号を生成する撮像素子と、
前記撮像素子により得られた映像信号にディテール加算を行い映像信号の輪郭を補正するディテール加算回路と、
前記光学系の被写体距離設定情報を元に、その被写体距離に応じて前記ディテール加算回路でのディテールのブースト周波数と加算量を可変させるよう制御する制御回路とで構成されていることを特徴とする撮像装置。
【請求項２】
光学像を結像させる光学系と、
前記光学系により得られた光学像の光電変換を行い、映像信号を生成する撮像素子と、
前記撮像素子により得られた映像信号にディテール加算を行い映像信号の輪郭を補正するディテール加算回路と、
前記光学系の被写体距離設定情報と焦点距離設定情報とを元に、その被写体距離と焦点距離に応じて前記ディテール加算回路でのディテールのブースト周波数と加算量を可変させるよう制御する制御回路とで構成されていることを特徴とする撮像装置。
【発明の詳細な説明】
【技術分野】
【０００１】
本発明は、撮影レンズを介して映像を取得する撮像素子を備えた撮像装置に関するものである。
【背景技術】
【０００２】
従来、撮影レンズを介して映像を取得する撮像素子を備えた撮像装置において、映像の鮮鋭感を上げ、高画質な撮像信号を得る為の処理を行う処理として、ディテール加算処理がある。このディテール加算処理は輪郭補正処理や輪郭補償処理、アパーチャ処理とも称され、撮像装置にはその画作り等の点から、なくてはならない必要不可欠なものである。
【０００３】
従来は、ディテール加算調整は撮影者が撮影状態に応じて撮像装置のメニュー設定などにより任意に行っている。例えば、風景等の遠景をズームレンズの広角側、もしくは広角レンズで撮影する場合は、ディテール加算量を大きく設定する事により解像感が向上する。しかし、撮影シーンが変わり、次に近景をズームレンズの望遠側、もしくは望遠レンズで撮影する場合は、前記のディテール加算量の設定のままでは、加算したディテール信号が大きく目立ってしまい不自然な映像となるため、ディテール加算量を小さく設定し直す必要が生じる。また、ディテール加算量のコントロールだけではなく、加算させるディテール信号の、ある周波数帯域のみをブーストさせて、そのブースト周波数を可変させる機能を有して、撮影者がそのブースト周波数を調整出来るように撮像装置のメニューにて設定が可能になっているものもある。
【０００４】
ズームレンズの焦点距離情報を利用して、ディテール信号のブースト周波数を自動的に可変させる提案は特許文献１のように出されている。
【特許文献１】特開２００５−３３６９８号公報
【発明の開示】
【発明が解決しようとする課題】
【０００５】
しかしながら、前記従来の構成では、撮影シーンの状態に応じた最適なディテール加算を行うには状態判別に用いる情報が不十分である。
【０００６】
本発明は、前記従来の課題を解決するもので、遠景を広角で撮影した場合や、近景を望遠で撮影した場合など、いろいろな撮影シーンの状態に応じて適切なディテール加算を行えるよう、ディテール加算量及びディテール信号のブースト周波数を可変させることにより、より自然で高画質な撮影映像を得ることが出来る撮像装置を提供する事を目的とする。
【課題を解決するための手段】
【０００７】
前記従来の課題を解決するため、請求項１の発明は、被写体距離に応じてディテール加算量及びディテール信号のブースト周波数を可変させるように構成したものである。
【０００８】
また、請求項２の発明は、被写体距離と焦点距離に応じてディテール加算量及びディテール信号のブースト周波数を可変させるように構成したものである。
【発明の効果】
【０００９】
本発明の撮像装置によれば、遠景を広角で撮影した場合や、近景を望遠で撮影した場合など、撮影シーンの状態に応じて最適なディテール加算を行うことにより、より自然で高画質な撮影映像を得ることができる。
【発明を実施するための最良の形態】
【００１０】
以下、本発明に係わる撮像装置の実施の形態について、図面に基づいて詳細に説明する。
【００１１】
（実施の形態１）
まず、本発明の実施の形態１に係る撮像装置について説明する。図１は実施の形態１に係る撮像装置の構成を表すブロック図である。図１において、１は光学系としてのレンズ、２は撮像素子、３はアナログプロセス回路、４はＡＤ変換器、５はノイズ除去回路、６はディテール加算回路、７はガンマ処理回路、８は制御回路である。
【００１２】
以上のように構成された本発明の撮像装置において、レンズ１を通過した被写体光学像は、撮像素子２により光電変換されてアナログ電気信号として出力される。撮像素子２のアナログ出力信号はアナログプロセス回路３にてゲイン調整、黒レベル調整、白レベル調整等の処理を施され、ＡＤ変換器４にてデジタル信号に変換される。ＡＤ変換器４のデジタル出力信号はデジタルプロセスの各回路にて撮像装置の基本処理であるノイズ除去、ディテール加算、ガンマ処理等が施される。
【００１３】
ノイズ除去回路５は、ある注目画素に対して周辺画素との相関を見て、相関の高い画素のみを選択してそれらの画素平均を行う事でノイズ除去を施す。
【００１４】
ディテール加算回路６は水平，垂直のディテール信号作成回路を主な構成要素とし、水平，垂直のディテール信号をもとの映像信号に加算することによりディテール補正を行っている。また、ディテール信号のブースト周波数を選択可変できるようになっている。
【００１５】
ガンマ処理回路７は、例えばＲＡＭ（ランダムアクセスメモリ）テーブルや折れ線近似によりデータのレベル変換を行いガンマ補正を施す。
【００１６】
制御回路８はディテール加算回路６のディテール加算量やブースト周波数選択等の諸特性を制御するが、撮影者のディテール加算量のメニュー設定等のほかに、レンズからの各種設定情報を元に設定値の自動決定を行う機能を有する。
【００１７】
以上の処理により撮像装置の基本処理が施されて出力信号が得られる。
【００１８】
図１におけるディテール加算回路６について、図２〜図５を用いて以下説明する。
【００１９】
図２は、ディテール信号生成の基本処理構成の１例を示すブロック図である。Ａは入力映像信号であり、９ａ、９ｂ、９ｃはデジタル処理における遅延素子、１０ａ、１０ｂは減算器、１１は加算器、１２は帯域制限フィルタ、１３は乗算器、１４は加算器である。
【００２０】
図３は、図２のブロック図上に記載した各ポイントＡ，Ｂ，Ｃ，Ｄ，Ｅでの映像信号の状態を示したグラフであり、縦軸に信号振幅を、横軸に時間を示している。入力映像信号Ａは、ウインド状の被写体を撮影した場合を例にしている。
【００２１】
入力映像信号Ａは、図１におけるアナログプロセス回路３等の特性により、高域周波数特性が劣化してしまう。この周波数特性劣化を補うのがディテール加算回路のひとつの役割であるが、実際は絵作りのための鮮鋭度向上に主に使われている。
【００２２】
図３で示すように、周波数特性が劣化したウインド状の入力映像信号Ａをデジタル処理における遅延素子９ａに通過させた映像信号Ｂと、デジタル処理における遅延素子９ａと９ｂに通過させた映像信号Ｃを生成し、減算器１０ａではＢ−Ａの減算を、減算器１０ｂではＢ−Ｃの減算を行う。両減算器の出力は加算器１１により加算されてディテール信号Ｄを得る。ディテール信号Ｄは帯域制限フィルタ１２で周波数帯域制限をかけてブースト周波数が決定された後に乗算器１３でゲイン調整を施される。乗算器１３からのディテール信号出力と信号遅延量をあわせるべく、映像信号Ｃをデジタル処理における遅延素子９ｃに通過させて、その乗算器１３からのディテール信号出力と遅延素子９ｃからの映像信号出力を加算器１４にて加算して映像信号Ｅを得る。この構成をとることにより、出力される映像信号Ｅは周波数特性が改善され鮮鋭度が増加する。
【００２３】
図４は、図２の帯域制限フィルタ１２の１例を示すブロック図であるが、１５はデジタル処理における遅延素子であり、１６は乗算器、１７は加算器である。デジタル処理における遅延素子１５では、入力されたディテール信号を水平ディテール信号生成の場合は１クロック単位での遅延、垂直ディテール信号生成の場合は１水平走査線単位での遅延を行い、それぞれの遅延出力とフィルタ係数とを乗算器１６にて乗算する。乗算器１６にて出力されたディテール信号は加算器１７にて加算処理される。この構成をとることにより、ディテール信号に周波数帯域制限をかける。フィルタ係数は図２の制御回路８より設定されるもので、このフィルタ係数設定を切り替えることにより、帯域制限フィルタ１２でのブースト周波数が決定される。
【００２４】
図５は、図２の帯域制限フィルタ１２の周波数特性の１例を示すグラフであるが、縦軸にゲイン、横軸に周波数を示している。フィルタ係数を切り替えることにより、Ｆ１〜Ｆ６のように複数の周波数特性を得ることができる。
【００２５】
図２の乗算器１３は制御回路８により乗算係数が与えられ、その乗算係数とディテール信号とを乗算処理することにより、ディテール信号の振幅が決定される。
【００２６】
図２の制御回路８は、撮影者が行うディテール加算量のメニュー設定情報を元に、ディテール信号の帯域制限フィルタ１２のフィルタ係数とディテール信号の乗算器１３の乗算係数を設定し、ディテール加算量のメニュー設定がない撮像装置では、その撮像装置の映像信号特性に合わせて設計した固定値を与えるが、他の制御法の一つとして、例えば自動調整モードを設け、撮影者がその自動調整モードを選択した場合に、現在の撮影シーンに合わせて最適なディテール加算が行えるように制御を行う。
【００２７】
本実施の形態１では、図２の制御回路８での撮影シーンの判別基準としてレンズからの被写体距離情報を用いる。
【００２８】
被写体距離が無限遠側である場合、撮影映像の空間周波数が高い事が多い。例えば、風景を撮影するような場面が想定される。この場合はディテール信号の帯域制限フィルタ１２でのブースト周波数が高域側になるようフィルタ係数を設定し、さらに撮像装置の周波数特性の高域劣化を補って、解像感を向上させるべくディテール信号の乗算器１３の乗算係数を大きく設定して、ディテール加算量を多くするよう制御を行う。
【００２９】
被写体距離が近距離側である場合、無限遠側と比較して撮影映像の空間周波数が低くなる事が多い。例えば、ある特定の個体をクローズアップして撮影するような場面が想定される。この場合は、ディテール信号の帯域制限フィルタ１２でのブースト周波数が中〜低域側になるようフィルタ係数を設定し、さらに、ディテール信号加算によるぎらつき感を抑えるためにディテール信号の乗算器１３の乗算係数を低く設定するよう制御を行う。
【００３０】
このようにして、本実施の形態１によれば、レンズからの被写体距離情報を利用して、撮影シーンの状態に応じて最適なディテール加算処理を行うことにより、より自然で高画質な撮影映像を得ることが出来る。
【００３１】
なお、上記の例ではディテール信号の帯域制限フィルタ１２のフィルタ係数とディテール信号の乗算器１３の乗算係数を両方同時に制御するようにしたが、どちらか一方を単独で制御しても良い。
【００３２】
また、ブースト周波数の可変はフィルタ係数の変更により実現したが、所望の周波数特性を得ることが出来る複数のフィルタを用意して、それらの出力からひとつをスイッチにより選択する方法をとっても良い。
【００３３】
（実施の形態２）
次に、本発明の実施の形態２に係る撮像装置について説明する。図６は実施の形態２に係る撮像装置の構成を表すブロック図である。図６において、１はレンズ、２は撮像素子、３はアナログプロセス回路、４はＡＤ変換器、５はノイズ除去回路、６はディテール加算回路、７はガンマ処理回路、８は制御回路である。図１の実施の形態１と構成が異なるのは、制御回路８が被写体距離情報だけではなく、焦点距離情報でも制御されている点である。その他は同様な回路であり、その動作、作用の説明は省略する。
【００３４】
図６におけるディテール加算回路６について、図７を用いて以下説明する。
【００３５】
図７は、ディテール信号生成の基本処理構成の１例を示すブロック図である。Ａは入力映像信号であり、９ａ、９ｂ、９ｃはデジタル処理における遅延素子、１０ａ、１０ｂは減算器、１１は加算器、１２は帯域制限フィルタ、１３は乗算器、１４は加算器である。図２の実施の形態１と構成が異なるのは、制御回路８が被写体距離情報だけではなく、焦点距離情報でも制御されている点である。その他は同様な回路であり、その動作、作用の説明は省略する。
【００３６】
本実施の形態２では、図７の制御回路８での撮影シーンの判別基準としてレンズからの被写体距離情報の他に、焦点距離情報も利用してシーン判別の精度を高める。
【００３７】
被写体距離が無限遠側で、かつ焦点距離の短い広角撮影の場合がもっとも撮影映像の空間周波数が高い。この場合はディテール信号の帯域制限フィルタ１２でのブースト周波数が高域側になるようフィルタ係数を設定し、さらに、撮像装置の周波数特性の高域劣化を補って、解像感を向上させるべくディテール信号の乗算器１３の乗算係数を大きく設定して、ディテール加算量を多くするよう制御を行う。
【００３８】
被写体距離が無限遠側で、かつ焦点距離の長い望遠撮影の場合は、前記の無限遠かつ広角撮影の場合よりも撮影映像の空間周波数は若干低くなる場合が多い。よって、前記の無限遠かつ広角撮影に対して、ディテール信号の帯域制限フィルタ１２でのブースト周波数は若干低域側に、ディテール信号の乗算器１３の乗算係数も若干低めに設定する。もちろん、ディテール信号の帯域制限フィルタ１２でのブースト周波数とディテール信号の乗算器１３の乗算係数を両方ともに設定し直す必要はなく、どちらか一方のみの設定変更だけでもかまわない。
【００３９】
被写体距離が近距離側で、かつ焦点距離の長い望遠撮影の場合は、無限遠側と比較して撮影映像の空間周波数が低くなる事が多い。この場合は、ディテール信号の帯域制限フィルタ１２でのブースト周波数が中〜低域側になるようフィルタ係数を設定し、さらに、ディテール信号加算によるぎらつき感を抑えるためにディテール信号の乗算器１３の乗算係数を低く設定するよう制御を行う。
【００４０】
被写体距離が近距離側で、かつ焦点距離の短い広角撮影の場合は、前記の近距離かつ望遠撮影の場合よりも撮影映像の空間周波数は若干高くなる場合が多い。よって、前記の近距離かつ望遠撮影に対して、ディテール信号の帯域制限フィルタ１２でのブースト周波数は若干高域側に、ディテール信号の乗算器１３の乗算係数も若干高めに設定する。もちろん、ディテール信号の帯域制限フィルタ１２でのブースト周波数とディテール信号の乗算器１３の乗算係数を両方ともに設定し直す必要はなく、どちらか一方のみの設定変更だけでもかまわない。
【００４１】
このようにして、本実施の形態２によれば、レンズからの被写体距離情報と、焦点距離情報を利用して、撮影シーンの状態に応じて最適なディテール加算処理を行うことにより、より自然で高画質な撮影映像を得ることが出来る。
【００４２】
なお、上記の例では、ディテール信号の帯域制限フィルタ１２のフィルタ係数とディテール信号の乗算器１３の乗算係数を両方同時に制御するようにしたが、どちらか一方を単独で制御しても良い。また、ブースト周波数の可変はフィルタ係数の変更により実現したが、所望の周波数特性を得ることが出来る複数のフィルタを用意して、それらの出力からひとつをスイッチにより選択する方法をとっても良い。
【００４３】
焦点距離情報とは、単焦点レンズの場合は、その焦点距離を、ズームレンズの場合はユーザーにより設定されたズーム値の焦点距離を示すが、エクステンダーレンズを使用した場合は、もちろん、その結果の変倍された焦点距離情報を利用する。エクステンダーレンズは変倍レンズとも称される。
【産業上の利用可能性】
【００４４】
以上のように本発明にかかる撮像装置は、遠景を広角で撮影した場合や、近景を望遠で撮影した場合など、撮影シーンの状態に応じて最適なディテール加算を行うことにより、より自然で高画質な撮影映像を得ることができる。
【図面の簡単な説明】
【００４５】
【図１】本発明の実施の形態１に係る撮像装置の構成を示すブロック図
【図２】本発明の実施の形態１に係る撮像装置のディテール信号生成の基本処理構成の１例を示すブロック図
【図３】図２のブロック図上に記載した各ポイントＡ，Ｂ，Ｃ，Ｄ，Ｅでの映像信号の状態を示したグラフ
【図４】図２の帯域制限フィルタ１２の１例を示すブロック図
【図５】図２の帯域制限フィルタ１２の周波数特性の１例を示すグラフ
【図６】本発明の実施の形態２に係る撮像装置の構成を表すブロック図
【図７】本発明の実施の形態２に係る撮像装置のディテール信号生成の基本処理構成の１例を示すブロック図
【符号の説明】
【００４６】
１  レンズ
２  撮像素子
３  アナログプロセス回路
４  ＡＤ変換器
５  ノイズ除去回路
６  ディテール加算回路
７  ガンマ処理回路
８  制御回路
９ａ、９ｂ、９ｃ  デジタル処理における遅延素子
１０ａ、１０ｂ  減算器
１１  加算器
１２  帯域制限フィルタ
１３  乗算器
１４  加算器
１５  デジタル処理における遅延素子
１６  乗算器
１７  加算器
【図１】
2007180689.tif 000003
【図２】
2007180689.tif 000004
【図３】
2007180689.tif 000005
【図４】
2007180689.tif 000006
【図５】
2007180689.tif 000007
【図６】
2007180689.tif 000008
【図７】
2007180689.tif 000009